(57)【特許請求の範囲】
【請求項１】
ＩＳＤＮ対応交換機とＩＳＤＮ対応端末間に、高速ディジタル専用線の両端に多重変換装置が接続された延長伝送路を設けるＴ点延長方式において、
前記高速ディジタル専用線における伝送フレームは、それぞれ８Bitの３個のタイムスロットを基本として、第１及び第２のタイムスロットには、それぞれ８BitのＢ１データ及びＢ２データを割り当て、第３のタイムスロットには、２BitのDデータを割り当てたＩＳＤＮに対応した構成とし、
前記第３のタイムスロットの信号の存在しない６Bitの空きデータ部分に、警報情報を設定したことを特徴とするＴ点延長方式における警報透過方式。
【請求項２】
前記第３のタイムスロットの信号の存在しない６Bitの空きデータ部分の第３Bit目及び第４Bit目に、警報情報としてＲＡＩBit及びＡＩＳBitを設定したことを特徴とする請求項１に記載のＴ点延長方式における警報透過方式。
【請求項３】
前記第３のタイムスロットの信号の存在しない６Bitの空きデータ部分の第１Bit目に、フレーム同期信号を設定したことを特徴とする請求項２に記載のＴ点延長方式における警報透過方式。
【請求項４】
前記警報情報としてのＲＡＩBitはＴＥモードのINFO１及びＮＴモードのINFO２に対応し、ＡＩＳBitはＮＴモード及びＴＥモードのINFO０に対応することを特徴とする請求項１〜３のいずれか１項に記載のＴ点延長方式における警報透過方式。
【発明の詳細な説明】
【０００１】
【発明の属する技術分野】
この発明は、ＩＳＤＮ対応端末とＩＳＤＮ対応交換機の接続に関し、その接続距離を延長すること、及び、接続距離を延長した際の警報の透過に関する。
【０００２】
【従来の技術】
従来のＩＳＤＮの接続構成を図１を用いて説明する。
図１において、１はＩＳＤＮ対応交換機（Ｔ点側１４４ｋ  ＵＮＩ（ＴＴＣ標準ＪＴ−１４３０））であり、ＩＳＤＮ対応端末２に直接接続されている。
該、接続構成においては、ＩＳＤＮ対応交換機とＩＳＤＮ対応端末との最大延長距離は１Ｋｍ程度であり、それ以上の距離にすることはできなかった。
【０００３】
ＩＳＤＮ対応交換機とＩＳＤＮ対応端末とのＩＳＤＮ特有の最大延長距離の限界を解決する構成として、図２の構成が知られている。
図２に記載のものは、ＴＥモードの多重変換伝送装置３間及び、ＮＴモードの多重変換伝送装置４間に高速ディジタル専用線７設けて、ＩＳＤＮ対応交換機１とＩＳＤＮ対応端末２との区間延長を行うものがある。
【０００４】
【発明が解決しようとする課題】
図２に示す構成のように、ＩＳＤＮ対応交換機１とＩＳＤＮ対応端末２との間に、ＴEモードの多重変換伝送装置３間及び、ＮＴモードの多重変換伝送装置４間に高速ディジタル専用線７設けることにより、ＩＳＤＮ対応交換機１とＩＳＤＮ対応端末２との間の、ＩＳＤＮ特有の最大延長距離の限界を解消することはできる。
しかし、その場合には、ＩＳＤＮ対応交換機１とＩＳＤＮ端末２とにおける警報状態の通知が十分に行なわれないという問題があった。
【０００５】
本発明の課題
（目的）は、ＩＳＤＮ対応交換機１とＩＳＤＮ端末２とが、ＴＥモードの多重変換伝送装置３間及び、ＮＴモードの多重変換伝送装置４間を設けて、区間延長を行っているにも関わらず、ＩＳＤＮ対応交換機１とＩＳＤＮ端末２とが図１の如く、直接接続されているのと、見かけ上同じ状態（透過）にすることにある。
【０００６】
【課題を解決するための手段】
前記課題を解決するために、ＩＳＤＮ対応交換機１とＩＳＤＮ対応端末２間に、高速ディジタル専用線７の両端に多重変換装置３，４が接続された延長伝送路を設けるＴ点延長方式において、
前記高速ディジタル専用線における伝送フレームは、それぞれ８Bitの３個のタイムスロットを基本として、第１及び第２のタイムスロットには、それぞれ８BitのＢ１データ及びＢ２データを割り当て、第３のタイムスロットには、２BitのDデータを割り当てたＩＳＤＮに対応した構成とし、
前記第３のタイムスロットの信号の存在しない６Bitの空きデータ部分に、警報情報を設定することにより、ＩＳＤＮ対応交換機１とＩＳＤＮ端末２とが、ＴＥモードの多重変換伝送装置３間及び、ＮＴモードの多重変換伝送装置４間を設けて、区間延長を行っているにも関わらず、ＩＳＤＮ対応交換機１とＩＳＤＮ端末２とが図１の如く、直接接続されているのと、見かけ上同じ状態（透過）にすることができる。（請求項１）
【０００７】
また、前記第３のタイムスロットの信号の存在しない６Bitの空きデータ部分の第３Bit目及び第４Bit目に、警報情報としてＲＡＩBit及びＡＩＳBitを設定することにより、空きBitを有効に利用できる。（請求項２）
また、前記第３のタイムスロットの信号の存在しない６Bitの空きデータ部分の第１Bit目に、フレーム同期信号を設定することにより、フレーム同期外れの検出が容易にできる。（請求項３）
また、前記警報情報としてのＲＡＩBitはＴＥモードのINFO１及びＮＴモードのINFO２に対応し、ＡＩＳBitはＮＴモード及びＴＥモードのINFO０に対応させることができる。（請求項４）
【０００８】
【発明の実施の形態】
以下、図面を用いて本発明の説明をする。
図２において、１はＩＳＤＮ対応交換機であり、２はＩＳＤＮ対応端末２であって、該ＩＳＤＮ対応交換機とＩＳＤＮ対応端末の間に、高速回線で結ばれたＴＥモードの多重変換伝送装置３及びＮＴモードの多重変換伝送装置４が接続されている。
【０００９】
ＩＳＤＮ対応交換機１とＴＥモードの多重変換伝送装置（高速ディジタル専用線対応）３のＤＳＵ（Ｔ点側ＴＴＣ標準ＪＴ−１４３０準拠、端末インタフェース）間を、通常のＩＳＤＮと同様に接続する。
また、ＩＳＤＮ対応端末２とＮＴモードの多重変換伝送装置（高速ディジタル専用線対応）４のＤＳＵとを通常のＩＳＤＮと同様に接続する。
そして、ＴＥモードの多重変換装置３とＮＴモードの多重変換装置４の間を伝送路インタフェース（高速ディジタル専用線対応）６を介して高速ディジタル専用回線（例えば、光ファイバ）で接続する。
【００１０】
図２に記載の如く構成することによって、交換機１とＴＥモードの多重変換伝送装置３、及び端末２とＮＴモードの多重変換伝送装置４間は、図１に示す如き、通常のＩＳＤＮによる伝送と同様であるので、それぞれ１ｋｍ程度のディジタル信号の伝送が可能である。
【００１１】
しかし、図２に示す構成では、ＩＳＤＮ対応交換機１と、ＩＳＤＮ対応端末２の間での、通信状態（警報情報）が十分に伝わらないという問題が生じる。
本発明は、ＩＳＤＮ対応交換機とＩＳＤＮ対応端末との接続距離を、図２の如き構成で延長した場合においても、警報の透過を行って、見かけ上ＩＳＤＮ対応交換機とＩＳＤＮ対応端末とを直接接続した場合と等価になる信号の伝送について説明する。
【００１２】
先ず、図１の如き、ＩＳＤＮ対応交換機とＩＳＤＮ対応端末とが直接接続されている場合の通信状態を図３及び図７を用いて説明する。
図７は、I.430のINFO制御（通信停止状態から通信状態までのシーケンス）を示している。
・先ず、通信停止状態では、ＮＴモード及びＴＥモード共に、INFO０（DATAall１）である。
・ＴＥモードからの起動要求として、INFO１を出力する。
・これに対して、ＮＴモードでは、該起動要求を受信し、INFO２を出力する。
・ＴＥモードでは、INFO２を受信し、INFO３を出力し、起動状態（通信状態）になる。
・ＮＴモードでは、INFO３を受信し、INFO４を出力して起動状態（通信状態）になる。
・起動状態（通信状態）になると、INFO３（ＮＴモード），INFO４（ＴＥモード）で通信を行う。
【００１３】
そこで、警報状態の定義を以下の如く定める。
ＡＩＳ（停止状態）：ＮＴ及びＴＥモードのINFO０
ＲＡＩ            ：ＮＴモードのINFO２及びＴＥモードのINFO１
通信状態          ：ＮＴモードのINFO４及びＴＥモードのINFO３
【００１４】
上記定義された警報状態信号を用いて、図３（ａ）において、ＩＳＤＮ対応交換機とＩＳＤＮ対応端末との間の警報状態として、例１〜例３で示される、
・ＩＳＤＮ対応交換機から端末へ▲１▼ＡＩＳが送られ、ＩＳＤＮ端末からＩＳＤＮ対応交換機へ▲２▼ＡＩＳが送られている状態。（例１）
・ＩＳＤＮ対応交換機からＩＳＤＮ対応端末へ▲１▼ＡＩＳが送られ、ＩＳＤＮ対応端末からＩＳＤＮ対応交換機へ▲２▼ＲＡＩが送られている状態。（例２）
・ＩＳＤＮ対応交換機からＩＳＤＮ端末へ▲１▼通信状態が送られ、ＩＳＤＮ対応端末からＩＳＤＮ対応交換機へ▲２▼通信状態が送られている状態。（例３）
この警報状態を整理して、図３（ｂ）に示す。
【００１５】
これに対して、図２に示す構成における、多重変換装置間の高速ディジタル専用線における、本発明の伝送路フレーム構成は以下のようになっている。
図５は、フレーム構成を示す図であり、ＴＳ１，ＴＳ２及びＴＳ３はタイムスロットである。
高速ディジタル専用線では、図示の如く、ＴＳ（タイムスロット）を３つ使用して、ＩＳＤＮにおける２Ｂ＋Ｄに対応した伝送が行われている。
【００１６】
各タイムスロットは、それぞれ８Bitで構成され、タイムスロットＴＳ１には、Ｂ１データの８Bitが、ＴＳ２にはＢ２データの８Bitが、ＴＳ３にはＤデータの２Bitが配置されている。
そして、本発明では、ＤＳＵでは、ＴＳ３の余りの６Bitに通信状態を示す警報情報（ＲＡＩ及びＡＩＳ）を含むフレームを組んで伝送することによって対向側に通信状態（警報）を知らせている。
また、ＤＳＵでは、対向側のＲＡＩBit及びＡＩＳBitを検出して、対向側の通信状態（警報）を知ることができる。
なお、ＲＡＩはＩＳＤＮプロトコルのＩＮＦＯ１及びＩＮＦＯ２を示し、ＡＩＳはＩＮＦＯ０及び同期外れを示している。
【００１７】
警報情報用のフレームは、図５に示す如く、１フレーム目の３Bit目及び４Bit目をＲＡＩ及びＡＩＳの表示に割り当て、当該Bitの「アクティブ」又は「非アクティブ」によって、判断が行われる。
各フレームの１Bit目は、フレームBit（Ｆ１，Ｆ２）とし、Ｆ１及びＦ２の受信を監視することにより、保護段数を設定し、フレーム同期、外れを検出する。また、３，５，７フレーム目は１フレーム目と同じであり、４，６，８フレーム目は２フレーム目と同様に繰り返される。
【００１８】
図４（ａ）の構成で、ＩＳＤＮ対応交換機からの出力▲３▼の通信状態（警報）をＴＥモードのＤＳＵが検出して、高速デジタル専用線を介して通信状態（警報）▲５▼をＮＴモードのＤＳＵに伝送する。ＮＴモードのＤＳＵは、この通信状態（警報）▲７▼をＩＳＤＮ対応端末に出力する。
【００１９】
ＩＳＤＮ対応端末からの通信状態（警報）▲８▼はＮＴモードのＤＳＵで検出して、高速デジタル専用線を介して通信状態（警報）▲６▼をＴＥモードのＤＳＵに伝送する。ＴＥモードのＤＳＵは、この通信状態（警報）▲４▼をＩＳＤＮ対応交換機に出力する。
この警報状態を図３の場合と対比して例１〜例３として以下に示す。
【００２０】
・ＩＳＤＮ対応交換機からＴＥモードの多重変換装置のＤＳＵへ▲３▼ＡＩＳが送られ、多重変換装置間の高速ディジタル専用線上のタイムスロットＴＳ３の４Bit目のＡＩＳBitがアクティブ▲５▼にされ、ＮＴモードの多重変換装置のＤＳＵからＩＳＤＮ対応端末へはＡＩＳ▲７▼が送られる。
また、ＩＳＤＮ対応端末からＮＴモードの多重変換装置のＤＳＵへＡＩＳ▲８▼が送られ、多重変換装置間の高速ディジタル専用線上のタイムスロットＴＳ３の４Bit目のＡＩＳBitがアクティブ▲６▼にされ、ＴＥモードの多重変換装置のＤＳＵからＩＳＤＮ対応交換機へはＡＩＳ▲４▼が送られる。（例１）
【００２１】
・ＩＳＤＮ対応交換機からＴＥモードの多重変換装置のＤＳＵへ▲３▼ＡＩＳが送られ、多重変換装置間の高速ディジタル専用線上のタイムスロットＴＳ３の４Bit目のＡＩＳBitがアクティブ▲５▼にされ、ＮＴモードの多重変換装置のＤＳＵからＩＳＤＮ対応端末へはＡＩＳ▲７▼が送られる。
また、ＩＳＤＮ対応端末からＮＴモードの多重変換装置のＤＳＵへＲＡＩ▲８▼が送られ、多重変換装置間の高速ディジタル専用線上のタイムスロットＴＳ３の３Bit目のＲＡＩBitがアクティブ▲６▼にされ、ＴＥモードの多重変換装置のＤＳＵからＩＳＤＮ対応交換機へはＲＡＩ▲４▼が送られる。（例２）
【００２２】
・ＩＳＤＮ対応交換機からＴＥモードの多重変換装置のＤＳＵへ▲３▼通信状態が送られ、多重変換装置間の高速ディジタル専用線上のタイムスロットＴＳ３の３Bit目及び４Bit目のＡＩＳBit及びＡＩＳBitが非アクティブ▲５▼にされ、ＮＴモードの多重変換装置のＤＳＵからＩＳＤＮ対応端末へは通信状態▲７▼が送られる。
また、ＩＳＤＮ対応端末からＮＴモードの多重変換装置のＤＳＵへ通信状態▲８▼が送られ、多重変換装置間の高速ディジタル専用線上のタイムスロットＴＳ３の３Bit目及び４Bit目のＡＩＳBit及びＲＡＩBitが非アクティブ▲６▼にされ、ＴＥモードの多重変換装置のＤＳＵからＩＳＤＮ対応交換機へは通信状態▲４▼が送られる。（例３）
この警報状態を整理して、図４（ｂ）に示す。
【００２３】
この結果、図６に示すように、図６（ａ）の構成は、図６（ｂ）に示すように、見かけ上図１の構成で、ＩＳＤＮ対応交換機とＩＳＤＮ対応端末の間が延長されたと同じ状態で信号伝送が行われ、警報もＩＳＤＮ対応交換機とＩＳＤＮ対応端末間で透過の状態とすることができる。
【００２４】
【発明の効果】
請求項１に記載の発明では、ＩＳＤＮ対応交換機１とＩＳＤＮ対応端末２間に、高速ディジタル専用線７の両端に多重変換装置３，４が接続された延長伝送路を設けるＴ点延長方式において、
前記高速ディジタル専用線における伝送フレームは、それぞれ８Bitの３個のタイムスロットを基本として、第１及び第２のタイムスロットには、それぞれ８BitのＢ１データ及びＢ２データを割り当て、第３のタイムスロットには、２BitのDデータを割り当てたＩＳＤＮに対応した構成とし、
前記第３のタイムスロットの信号の存在しない６Bitの空きデータ部分に、警報情報を設定することにより、ＩＳＤＮ対応交換機１とＩＳＤＮ端末２とが、ＴＥモードの多重変換伝送装置３間及び、ＮＴモードの多重変換伝送装置４間を設けて、区間延長を行っているにも関わらず、ＩＳＤＮ対応交換機１とＩＳＤＮ端末２とが図１の如く、直接接続されているのと、見かけ上同じ状態（透過）にすることができる。
【００２５】
また、請求項２に記載の発明では、前記第３のタイムスロットの信号の存在しない６Bitの空きデータ部分の第３Bit目及び第４Bit目に、警報情報としてＲＡＩBit及びＡＩＳBitを設定することにより、空きBitを有効に利用できる。
また、請求項３に記載の発明では、前記第３のタイムスロットの信号の存在しない６Bitの空きデータ部分の第１Bit目に、フレーム同期信号を設定することにより、フレーム同期外れの検出が容易にできる。
また、請求項４に記載の発明では、前記警報情報としてのＲＡＩBitはＴＥモードのINFO１及びＮＴモードのINFO２に対応し、ＡＩＳBitはＮＴモード及びＴＥモードのINFO０に対応した警報状態とすることができる。
【図面の簡単な説明】
【図１】ＩＳＤＮ交換機とＩＳＤＮ端末との通常の接続構成を示す図である。
【図２】ＩＳＤＮ交換機とＩＳＤＮ端末間を延長した接続構成を示す図である。
【図３】ＩＳＤＮ交換機とＩＳＤＮ端末との通常の警報状態を示す図である。
【図４】ＩＳＤＮ交換機とＩＳＤＮ端末間を延長した時の警報状態を示す図である。
【図５】高速ディジタル専用線における伝送フレームを示す図である。
【図６】ＩＳＤＮ交換機とＩＳＤＮ端末間を延長した接続構成の見かけ上の構成を示す図である。
【図７】  I.430のINFO制御シーケンスを示す図である。
【符号の説明】
１              ＩＳＤＮ対応交換機
２              ＩＳＤＮ対応端末
３，４          多重変換装置
５              ＤＳＵ
６              インタフェース（ＩＦ）
７              高速ディジタル専用線
【図１】
0003956086.tif 000002
【図２】
0003956086.tif 000003
【図３】
0003956086.tif 000004
【図４】
0003956086.tif 000005
【図５】
0003956086.tif 000006
【図６】
0003956086.tif 000007
【図７】
0003956086.tif 000008